(57)【要約】【課題】電子番組表において、解像度の異なる番組を容易に見分けられるよう表示する表示装置を実現すること【解決手段】８Ｋ解像度の番組の番組情報を含む第１の欄（２１）の少なくとも一部を、ＢＴ７０９色域（３１）の外であって、ＢＴ２０２０色域（３０）の内側に存在する色に設定する電子番組表生成部（６）を備えている表示装置（１）。【選択図】図１
2018142920.tif 000002
【特許請求の範囲】
【請求項１】
８Ｋ解像度の番組の番組情報を含む電子番組表を表示する表示装置であって、
電子番組表における８Ｋ解像度の番組の番組情報を含む欄である第１の欄の少なくとも一部を、ＢＴ７０９色域の外であって、ＢＴ２０２０色域の内側に存在する色に設定することによって当該電子番組表を生成する電子番組表生成部を備えている
ことを特徴とする表示装置。
【請求項２】
上記電子番組表生成部は、上記第１の欄の背景色を、ＢＴ７０９色域の外であって、ＢＴ２０２０色域の内側に存在する色に設定することによって上記電子番組表を生成することを特徴とする請求項１に記載の表示装置。
【請求項３】
上記電子番組表には、ＨＤ解像度の番組に関する番組情報、及び４Ｋ解像度の番組に関する番組情報が含まれ、
上記電子番組表生成部は、
上記ＨＤ解像度の番組に関する番組情報を含む欄である第２の欄を、ＢＴ７０９色域の内側に存在する色に設定し、
上記４Ｋ解像度の番組に関する番組情報を含む欄である第３の欄の少なくとも一部を、色度図における上記第１の欄の色と上記第２の欄の色の中間の色に設定する、
ことを特徴とする請求項１又は２に記載の表示装置。
【請求項４】
上記電子番組表生成部は、
上記電子番組表における上記第１の欄が示す番組の詳細情報を含む詳細情報表示欄を、当該第１の欄の背景と同じ色を背景色として生成する
ことを特徴とする請求項１から３の何れか１項に記載の表示装置。
【請求項５】
複数のエリアから構成され、当該複数のエリアの明るさを個別に制御可能なバックライトと、
上記バックライトを制御するバックライト制御部と
を更に備え、
上記バックライト制御部は、上記複数のエリアのうち、上記電子番組表における第１の欄に対応するエリアを、他のエリアよりも明るく発光させる
ことを特徴とする請求項１から４の何れか１項に記載の表示装置。
【請求項６】
請求項１から５の何れか１項に記載の表示装置を備えていることを特徴とするテレビジョン受像機。
【請求項７】
請求項１に記載の表示装置としてコンピュータを機能させるためのプログラムであって、上記電子番組表生成部としてコンピュータを機能させるためのプログラム。
【請求項８】
請求項７に記載のプログラムを記録したコンピュータ読み取り可能な記録媒体。
【発明の詳細な説明】
【技術分野】
【０００１】
本発明は、表示装置、及びその利用に関する。
【背景技術】
【０００２】
放送方式として、４Ｋ放送、８Ｋ放送が実施されつつある。４Ｋ放送、８Ｋ放送では、従来のＨＤ放送方式よりも高解像度な、４Ｋ解像度、８Ｋ解像度の番組を放送することができる。４Ｋ、及び８Ｋ解像度の番組は、ＨＤ解像度の番組に比べて色域も広く、鮮明な画像を表示することができる。
【０００３】
また、従来から、テレビ放送におけるデジタル放送では、番組だけでなく番組案内情報が伝送されており、表示装置は、この番組案内情報を参照して電子番組表（ＥＰＧ：Ｅｌｅｃｔｒｏｎｉｃ  Ｐｒｏｇｒａｍｍｉｎｇ  Ｇｕｉｄｅ）を表示する。
【０００４】
ＥＰＧを表示する工夫として、テレビ視聴者の選択した視聴の関心の対象に適合する特徴を有するテレビのショーを、対応するハイライト処理と共に強化されたＥＰＧ表示に表示する技術が、従来知られている（特許文献１）。
【先行技術文献】
【特許文献】
【０００５】
【特許文献１】特許第５０２７３８０号（２００４年１１月２５日公開）
【発明の概要】
【発明が解決しようとする課題】
【０００６】
将来的には、ＨＤ解像度、４Ｋ解像度、８Ｋ解像度の番組が、１つの放送波の中に混在する状況も考えられる。
【０００７】
その際、電子番組表内で、ＨＤ解像度、４Ｋ解像度、８Ｋ解像度の番組を区別できると便利である。異なる解像度の番組を区別する方法の一つとして、＜８Ｋ＞等のマーク、又は放送方式を区別するためのその他のマークを、各番組の番組情報を含む欄（以下、番組セルとも称する）の枠内に表示することも考えられる。
【０００８】
しかしながら現在、すでに番組に関する情報を表示するマークとして、ステレオ音声、二カ国音声、データ放送、字幕等がある。これらに加えて更に放送方式を区別するためのマークが増えると、表示するマークが増え、わかりにくいという問題がある。
【０００９】
従って、本発明の一態様は、電子番組表において、異なる解像度の番組を容易に見分けられるよう表示する表示装置を実現することを目的とする。
【課題を解決するための手段】
【００１０】
上記の課題を解決するために、本発明の一態様に係る表示装置は、
８Ｋ解像度の番組の番組情報を含む電子番組表を表示する表示装置であって、
電子番組表における８Ｋ解像度の番組の番組情報を含む欄である第１の欄の少なくとも一部を、ＢＴ７０９色域の外であって、ＢＴ２０２０色域の内側に存在する色に設定することによって当該電子番組表を生成する電子番組表生成部を備えている
ことを特徴とする表示装置である。
【発明の効果】
【００１１】
本発明の一態様によれば、電子番組表において、異なる解像度の番組を容易に見分けられるよう表示する表示装置を実現することができる。
【図面の簡単な説明】
【００１２】
【図１】本発明の実施形態１に係るテレビの要部構成を示すブロック図である。
【図２】本発明の実施形態１に係るテレビの外観を示す図である。
【図３】本発明の実施形態１に係る電子番組表の表示画面例を示す図である。
【図４】本発明の実施形態１に係る背景色の設定の仕方を示す図である。
【図５】本発明の実施形態１に係る緑系の色の設定の仕方を示す図である。
【図６】本発明の実施形態１に係る青系の色の設定の仕方を示す図である。
【図７】本発明の実施形態１に係る赤系の色の設定の仕方を示す図である。
【図８】本発明の実施形態２に係るテレビの要部構成を示すブロック図である。
【図９】（ａ）は、バックライトにおける複数のエリアの一例を示す図であり、（ｂ）は、表示パネルに表示される電子番組表の例を示す図であり、（ｃ）は、（ｂ）に示した電子番組表に対応する、バックライトの各エリアの明るさを示す図である。
【発明を実施するための形態】
【００１３】
〔実施形態１〕
（テレビジョン受像機１００の概要）
以下、本発明の実施の形態について、詳細に説明する。本実施形態に係るテレビジョン受像機（以下、テレビとも称する）１００の外観は、図２の通りである。本実施形態に係るテレビ１００の要部構成を図１に基づいて説明する。図１に示すように、テレビ１００は、受信部２、表示装置１、およびリモコン受光部７を含む構成である。表示装置１は、表示制御部（表示制御手段）３、表示部４、番組情報記憶部５、電子番組表生成部６を含む。なお、テレビ放送を受信し、表示する機能については、公知の技術を用いることが可能であり、その説明は省略する。
【００１４】
受信部２は、アンテナ８を介して、テレビ放送および番組情報を受信する。受信部２は、受信したテレビ放送に対し、受信処理を行った後、表示制御部３に送信する。また、受信した番組情報については、番組情報記憶部５に格納する。
【００１５】
表示制御部３は、受信部２から取得したテレビ放送や、電子番組表生成部６から取得した電子番組表、および電子番組表に対する処理結果を、表示部４に表示させるものである。
【００１６】
表示部４は、表示制御部３の制御により、テレビ放送や電子番組表を表示する表示デバイスである。表示部４の例としては、液晶ディスプレイ、有機ＥＬ（Ｅｌｅｃｔｒｏ  Ｌｕｍｉｎｅｓｃｅｎｃｅ）ディスプレイ、プラズマディスプレイ等が挙げられる。
【００１７】
番組情報記憶部５は、受信部２が受信した番組情報を記憶しているものである。番組情報の内容としては、番組名、番組内容、放送時間、放送局、出演者、番組のカテゴリー等が挙げられる。
【００１８】
電子番組表生成部６は、番組情報記憶部５に記憶されている番組情報を用いて電子番組表２０１を作成し、表示制御部３に送信するものである。電子番組表２０１の例としては、縦を時間軸、横をチャンネル番号軸としたマトリクス表示の番組表を挙げることができる。また、電子番組表生成部６は、リモコン受光部７で受光したリモコンからの信号に基づいて、電子番組表２０１に対する処理を行い、処理結果を表示制御部３に送信するものである。
【００１９】
リモコン受光部７で受光したリモコンからの信号に基づいて、電子番組表に対する処理を行い、処理結果を表示制御部３に送信するものである。
【００２０】
（電子番組表２０１）
図３を参照して、電子番組表生成部６が生成する電子番組表２０１の詳細について説明する。電子番組表２０１は、複数の番組セルで構成されている。また、電子番組表２０１は、番組の詳細情報を示す詳細情報表示欄２４を有している。それぞれの番組セルは、各番組の詳細情報を示し、詳細情報表示欄２４は、選択された番組セルの詳細を表示する。図３の例では、第１の欄２１が選択され、その詳細情報が、詳細情報表示欄２４に表示されている。
【００２１】
本実施形態では、ＨＤ解像度、４Ｋ解像度、及び８Ｋ解像度の番組が、１つの放送波の中に混在している。また、異なる解像度で放送される、映画、バラエティー、ニュースといった複数の番組のカテゴリーが存在する。例えば、第１の欄２１には８Ｋ解像度の映画、第２の欄２２にはＨＤ解像度の映画、第３の欄２３には４Ｋ解像度の映画の番組情報が記載されている。
【００２２】
電子番組表生成部６は、番組セルの背景色を、映画、ニュース、ドラマといった番組のカテゴリーが容易に見分けられるよう、番組のカテゴリーごとに、同系色、換言すれば互いに類似した色に設定する。例えば、本実施形態において、映画の詳細情報を含む第１の欄２１、第２の欄２２、第３の欄２３は、すべて緑系に区分される色に設定されている。
【００２３】
さらに、電子番組表生成部６は、番組セルの背景色を、ＨＤ解像度、４Ｋ解像度、８Ｋ解像度の番組が容易に見分けられるよう、放送方式ごとに、互いに類似した色の中から選んだ、異なる色に設定する。例えば、第１の欄２１、第２の欄２２、第３の欄２３は、それぞれ互いに類似するが異なる緑系の色に設定されている。
【００２４】
以下、図４を参照して、番組セルの背景色の色の設定の仕方について詳細に説明する。背景色の色の選択は、電子番組表生成部６により行われる。図４の領域３１で表されるのが色度図上のＢＴ７０９色域３１であり、領域３０で表されるのが色度図上のＢＴ２０２０色域３０である。
【００２５】
電子番組表生成部６は、番組セルの背景色を、番組のカテゴリーが３つあるとき、カテゴリーごとに、緑系、青系、赤系に区分される色にそれぞれ設定する。さらに、電子番組表生成部６は、番組の解像度ごとに、それぞれの番組のカテゴリーを示す色の中から、異なる色を選択して電子番組表２０１を生成する。電子番組表生成部６は、領域４０から、緑系に区分される色を選択する。青系に区分される色は、領域５０から選択する。赤系に区分される色は、領域６０から選択する。
【００２６】
以下、番組のカテゴリーが緑系で表示される場合の色の設定の仕方について、図５を参照して説明する。図５は、図４の領域４０を拡大した図である。電子番組表生成部６は、８Ｋ解像度の番組情報を含む第１の欄２１の背景色を、緑系のうち、ＢＴ７０９色域３１の外に存在する色であって、ＢＴ２０２０色域３０の内側に存在する色４１に設定する。電子番組表生成部６は、ＨＤ解像度の番組情報を含む第２の欄２２の背景色を、緑系のうち、ＢＴ７０９色域３１の内側に存在する色４２に設定する。さらに電子番組表生成部６は、４Ｋ解像度の番組情報を含む第３の欄２３の背景色を、緑系のうち、第１の欄２１の背景色４１、及び第２の欄２２の背景色４２の中間の色４３に設定する。上記の構成によれば、８Ｋ解像度の特徴である色域の広さによって、ＨＤ解像度、４Ｋ解像度、８Ｋ解像度の番組が区別できる。
【００２７】
なお、「色域Ａの外」といった場合、色域Ａの外縁は含まない領域を指す。「色域Ａの内側」といった場合、色域Ａの外縁を含む領域を指す。
【００２８】
また、本明細書中で、「中間の色」とは、色度図上で、第１の欄２１の背景色に対応する点と、第２の欄２２の背景色に対応する点との間の領域に存在する色のことを指す。より具体的には、「中間の色」とは、色度図上で、第１の欄２１の背景色に対応する点と、第２の欄２２の背景色に対応する点とを結んだ線上の、中間に存在する点に対応する色を指す。なお、第３の欄の背景色に対応する「中間に存在する点」は、第１の欄２１の背景色に対応する点、及び第２の欄２２の背景色に対応する点との中間に存在すればよく、中央に存在する点のみに限定されるものではない。
【００２９】
なお、緑系では、ＢＴ２０２０色域３０及びＢＴ７０９色域３１の領域の広さの違いが、青系又は赤系に比べて大きいため、ユーザは、異なる解像度の番組を、特に容易に見分けることが可能である。
【００３０】
番組のカテゴリーが青系又は赤系で表示される場合も、電子番組表生成部６は、上述した緑系の設定の仕方と同様に、番組の解像度ごとに、番組セルの背景色を設定する。
【００３１】
番組のカテゴリーが青系で表示される場合の色の設定の仕方について、図６を参照して説明する。図６は、図４の領域５０を拡大した図である。電子番組表生成部６は、８Ｋ解像度の番組情報を含む番組セルの背景色を、青系のうち、ＢＴ７０９色域３１の外に存在する色であって、ＢＴ２０２０色域３０の内側に存在する色５１に設定する。電子番組表生成部６は、ＨＤ解像度の番組情報を含む番組欄の背景色を、青系のうち、ＢＴ７０９色域３１の内側に存在する色５２に設定する。さらに電子番組表生成部６は、４Ｋ解像度の番組情報を含む番組セルの背景色を、色５１、及び色５２の中間の色５３に設定する。
【００３２】
番組のカテゴリーが赤系で表示される場合の色の設定の仕方について、図７を参照して説明する。図７は、図４の領域６０を拡大した図である。電子番組表生成部６は、８Ｋ解像度の番組情報を含む番組セルの背景色を、赤系のうち、ＢＴ７０９色域３１の外に存在する色であって、ＢＴ２０２０色域３０の内側に存在する色６１に設定する。電子番組表生成部６は、ＨＤ解像度の番組情報を含む番組欄の背景色を、青系のうち、ＢＴ７０９色域３１の内側に存在する色６２に設定する。さらに電子番組表生成部６は、４Ｋ解像度の番組情報を含む番組セルの背景色を、色６１、及び色６２の中間の色６３に設定する。
【００３３】
ある色が、ＢＴ７０９色域の内側に存在する色であるか、又はＢＴ７０９色域３１の外に存在する色であって、ＢＴ２０２０色域３０の内側に存在する色であるかは、例えば色度計を用いて確認することができる。
【００３４】
図５〜７では、第３の欄の背景色はＢＴ７０９色域３１の外の色となっているが、第３の欄の背景色は、ＢＴ７０９色域３１の外の色に限定されず、ＢＴ７０９色域３１の内側に存在する色であってもよい。４Ｋ解像度で表示できる色域の広さを活かすことができることから、第３の欄の背景色は、ＢＴ７０９色域３１の外に存在する色であることが好ましい。
【００３５】
なお、第１の欄の背景色は、緑系、青系、赤系等のＢＴ２０２０色域３０の頂点付近に存在する色に限定されない。好ましくは、電子番組表生成部６は、第１の欄の背景色を、ＢＴ７０９色域３１の外に存在する色であって、ＢＴ２０２０色域３０の内側に存在する色のうち、特にＢＴ２０２０色域３０の外縁付近の色に設定する。上記の構成によれば、番組の背景色の色の違いを大きくすることができ、ユーザは、番組の解像度の違いを容易に見分けることが可能である。
【００３６】
次に、詳細情報表示欄２４の背景色について説明する。電子番組表生成部６は、詳細情報表示欄２４の背景色を、選択された番組セルである第１の欄２１の背景色と同じ色に設定する。上記の構成によれば、選択した番組セルに番組情報が記載された番組のカテゴリー及び解像度を、詳細情報表示欄２４の背景色によって、ユーザは、容易に見分けることができる。
【００３７】
なお、本実施形態においては、番組セルの背景全体を一色の背景色にしているが、本発明の実施形態はこれに限定されず、番組セルの一部のみに色を付ける形態であってもよい。番組セルの少なくとも一部に色がついていれば、ユーザは、番組の解像度を見分けることが可能である。
【００３８】
〔実施形態２〕
本発明の他の実施形態について、図８及び図９に基づいて説明すれば、以下のとおりである。なお、説明の便宜上、前記実施形態にて説明した部材と同じ機能を有する部材については、同じ符号を付記し、その説明を省略する。
【００３９】
本実施形態に記載の構成は、上述した実施形態１と組み合わせて用いられてもよく、上述した実施形態１とは独立に用いられてもよい。以下の説明では、実施形態１の説明を援用しつつ説明を行うが、これは実施形態１の構成すべてが本実施形態の前提となっていることを示すものではない。実施形態１と組み合わせた場合、電子番組表において、解像度の異なる番組をより容易に見分けられるよう表示することが可能である。
【００４０】
本実施形態においては、表示装置１の表示領域を複数のエリアに区画し、エリアごとにバックライトの明るさを制御する、ローカルディミングと呼ばれる技術を利用する。バックライト制御部１６は、電子番組表生成部６から電子番組表２０１についての情報を取得し、当該情報を参照して、第１の欄２１、換言すれば、８Ｋ解像度を有する番組セルに対応するエリアを特定する。そして、バックライト制御部１６はバックライト１３を制御して、第１の欄２１に対応するエリアを、他のエリアよりも明るく発光させる。これにより、表示部４は第１の欄２１を他のエリアに比べて明るく表示するので、ユーザは、より容易に８Ｋ解像度の番組を他の解像度の番組と区別できる。
【００４１】
本実施形態に係るテレビ１００の要部構成は図８の通りである。本実施形態に係る表示装置１は、実施形態１で説明した構成に加えて、さらに、バックライト１３及び表示パネル１４を備える表示部４、並びに表示パネル制御部１５及びバックライト制御部１６を備える表示制御部３を備える。
【００４２】
バックライト１３は、表示パネル１４の背面に重畳して設けられ、表示パネル１４に背面から光を照射する。バックライト１３は複数のエリアから構成され、各エリアには光源が設けられている。
【００４３】
表示パネル制御部１５は、表示パネル１４を制御して、テレビ番組や電子番組表を表示させる制御部である。
【００４４】
バックライト制御部１６は、バックライト１３を制御する。具体的には、バックライト制御部１６は、バックライト１３が有する各エリアにおける光源の点灯タイミング及び点灯周期等を制御する。
【００４５】
図９の（ａ）は、バックライト１３における複数のエリアの一例を示す図である。図９の（ａ）に示す例では、バックライト１３は、縦に５行、横に５列の、同一の矩形形状を有する合計２５のエリアから構成されている。なお、バックライト１３は、２５とは異なる数のエリアから構成されていてもよい。また、各エリアの形状は、矩形形状でなくてもよく、また互いに異なっていてもよい。
【００４６】
図９の（ｂ）は、表示パネル１４に表示される電子番組表２０１の例を示す図である。電子番組表２０１は、８Ｋ解像度の番組に関する番組情報を含む第１の欄２１を含む。図９の（ｃ）は、図９の（ｂ）に示した電子番組表２０１に対応する、一般的な制御によるバックライト１３の各エリアの明るさを示す図である。
【００４７】
図９の（ｃ）に示すように、バックライト制御部１６は、バックライト１３の複数のエリアのうち、第１の欄２１に対応するエリアＡ１を、エリアＡ１以外のエリアよりも明るく発光させる。これにより、表示部４が第１の欄２１を他の番組セルよりも明るく表示することができるので、８Ｋ解像度の番組を、特に目立たせることが可能である。
【００４８】
〔ソフトウェアによる実現例〕
表示装置１の各ブロックは、集積回路（ＩＣチップ）等に形成された論理回路（ハードウェア）によって実現してもよいし、ＣＰＵ（Central Processing Unit）を用いてソフトウェアによって実現してもよい。
【００４９】
後者の場合、表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５０】
〔まとめ〕
本発明の態様１に係る表示装置は、８Ｋ解像度の番組の番組情報を含む電子番組表を表示する表示装置であって、電子番組表における８Ｋ解像度の番組の番組情報を含む欄である第１の欄の少なくとも一部を、ＢＴ７０９色域の外であって、ＢＴ２０２０色域の内側に存在する色に設定することによって当該電子番組表を生成する電子番組表生成部を備えている。
【００５１】
上記の構成によれば、ＨＤ解像度の番組ではＢＴ２０２０色域を表示できないため、８Ｋ解像度の番組と、ＨＤ解像度の番組とを、番組情報を含む欄の少なくとも一部の色により区別できる。よって、解像度の異なる番組を容易に見分けられるよう表示することができる。
【００５２】
本発明の態様２に係る表示装置は、上記態様１において、上記第１の欄の背景色を、ＢＴ７０９色域の外であって、ＢＴ２０２０色域の内側に存在する色に設定することによって上記電子番組表を生成してもよい。
【００５３】
上記の構成によれば、ユーザは、８Ｋ解像度の番組と、ＨＤ解像度の番組とを、番組情報を含む欄の背景色により、見分けることが可能である。
【００５４】
本発明の態様３に係る表示装置には、上記態様１または２において、ＨＤ解像度の番組に関する番組情報、及び４Ｋ解像度の番組に関する番組情報が含まれ、上記電子番組表生成部は、上記ＨＤ解像度の番組に関する番組情報を含む欄である第２の欄を、ＢＴ７０９色域の内側に存在する色に設定し、上記４Ｋ解像度の番組に関する番組情報を含む欄である第３の欄の少なくとも一部を、色度図における上記第１の欄の色と上記第２の欄の色の中間の色に設定してもよい。
【００５５】
上記の構成によれば、ユーザは、８Ｋ解像度、４Ｋ解像度、及びＨＤ解像度の番組を、番組情報を含む欄の少なくとも一部の色により区別できる。
【００５６】
本発明の態様４に係る表示装置は、上記態様１から３において、上記電子番組表生成部は、上記電子番組表における上記第１の欄が示す番組の詳細情報を含む詳細情報表示欄を、当該第１の欄の背景と同じ色を背景色として生成してもよい。
【００５７】
上記の構成によれば、ユーザは、選択した番組セルに番組情報が記載された番組のカテゴリー及び解像度を、詳細情報表示欄２４の背景色によって、容易に見分けることができる。
【００５８】
本発明の態様５に係る表示装置は、上記態様１から４において、複数のエリアから構成され、当該複数のエリアの明るさを個別に制御可能なバックライトと、上記バックライトを制御するバックライト制御部とを更に備え、上記バックライト制御部は、上記複数のエリアのうち、上記電子番組表における第１の欄に対応するエリアを、他のエリアよりも明るく発光させてもよい。
【００５９】
上記の構成によれば、番組セルの色に加えて、番組セルの明るさによって、８Ｋ解像度の番組を目立たせることができる。
【００６０】
本発明の態様６に係る表示装置は、８Ｋ解像度の番組の番組情報を含む電子番組表を生成する電子番組表生成部と、複数のエリアから構成され、当該複数のエリアの明るさを個別に制御可能なバックライトと、上記バックライトを制御するバックライト制御部とを備え、上記バックライト制御部は、上記複数のエリアのうち、上記電子番組表における８Ｋ解像度の番組の番組情報を含む欄に対応するエリアを、他のエリアよりも明るく発光させる。
【００６１】
上記の構成によれば、番組セルの明るさによって、８Ｋ解像度の番組を目立たせることができる。
【００６２】
本発明の態様７に係るテレビジョン受像機は、上記態様１から６の表示装置を備えていてもよい。
【００６３】
上記の構成によれば、解像度の異なる番組を容易に見分けられるよう表示できるテレビジョン受像機を実現することができる。
【００６４】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる制御プログラム、およびそれを記録したコンピュータ読み取り可能な記録媒体も、本発明の範疇に入る。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６６】
本発明は、電子番組表を表示する８Ｋ解像度の番組に対応したテレビ等に好適に利用することができる。
【符号の説明】
【００６７】
１００  テレビジョン受像機
１  表示装置
６  電子番組表生成部
１３  バックライト
１６  バックライト制御部
２１  第１の欄
２２  第２の欄
２３  第３の欄
２４  詳細情報表示欄
３０  ＢＴ２０２０色域
３１  ＢＴ７０９色域
２０１  電子番組表
【図１】
2018142920.tif 000003
【図２】
2018142920.tif 000004
【図３】
2018142920.tif 000005
【図４】
2018142920.tif 000006
【図５】
2018142920.tif 000007
【図６】
2018142920.tif 000008
【図７】
2018142920.tif 000009
【図８】
2018142920.tif 000010
【図９】
2018142920.tif 000011